(57)【要約】      （修正有）【課題】粉塵、細菌、或いはウィルスが防護服内部に進入するのを防ぎ、着用者の安全を護る防護服を提供する。【解決手段】内部に着用スペースを有し、複数の排気穴１４及び可動に開閉する着用入口１５をさらに有し、ヘッドマスク部１６と、上半身部１７と、下半身部１８とを含み、ヘッドマスク部には透明窓１６１を設け、上半身部は２つの袖口１７１を有し、下半身部は２つの裾口１８１を有し、２つの袖口及び２つの裾口の辺縁には裾口締め１９を各々設けている防護服本体１と、防護服本体に貼設し、空気を着用スペース内に送入して各排気穴から排出し、着用時にこもっている熱を冷やす給気装置２と、を備えている。【選択図】図１
0003232865.tif 000002
【実用新案登録請求の範囲】
【請求項１】
正面側及び背側を定義していると共に内部には着用スペースを有し、複数の排気穴及び可動に開閉する着用入口をさらに有し、且つヘッドマスク部と、上半身部と、下半身部とを含み、前記上半身部は前記ヘッドマスク部と前記下半身部との間に連接し、前記ヘッドマスク部は前記正面側に透明窓を設け、前記上半身部は２つの袖口を有し、前記下半身部は２つの裾口を有し、前記２つの袖口及び前記２つの裾口の辺縁には裾口締めを各々設けている防護服本体と、
前記防護服本体に貼設し、吸気部と、排気部と、フィルター層と、電源ユニットとを含み、前記吸気部は前記着用スペースに連通し、前記フィルター層は前記着用スペースに送入する空気を濾過するために用いている給気装置と、を備えていることを特徴とする防護服。
【請求項２】
前記ヘッドマスク部は前記正面側の部分を前記着用スペース内に向けて陥没させることにより凹型エリアを形成し、前記ヘッドマスク部は凹型エリアと上半身部との間の部分を外に向けて隆起させることにより前記着用スペースに呼吸ゾーンを形成していることを特徴とする請求項１に記載の防護服。
【請求項３】
前記複数の排気穴は前記ヘッドマスク部の上端に配置し、前記上半身部は前記２つの袖口の部分に近接し、前記下半身部は前記２つの裾口の部分に近接していることを特徴とする請求項１に記載の防護服。
【請求項４】
前記複数の排気穴には前記防護服本体の外側の空気が前記複数の排気穴から前記着用スペース内に進入しないようにするための一方向弁を各々設置していることを特徴とする請求項１乃至３の何れか１項に記載の防護服。
【請求項５】
前記ヘッドマスク部は前記上半身部に可動に連接及び分離し、前記ヘッドマスク部の下端にはヘッドマスク入口を配置し、前記上半身部には前記ヘッドマスク部に向けている上端にヘッド出口を有し、前記ヘッドマスク入口の内縁及び前記ヘッド出口の外縁にそれぞれ設置している雌面ファスナー及び雄面ファスナーをさらに有し、前記ヘッドマスク部を前記上半身部に連接すると、前記ヘッドマスク部が前記ヘッド出口の外周を被覆することを特徴とする請求項１乃至３の何れか１項に記載の防護服。
【考案の詳細な説明】
【技術分野】
【０００１】
本考案は、粉塵、細菌、或いはウィルスが防護服内部に進入するのを防ぎ、着用者の安全を護る防護服に関する。
【背景技術】
【０００２】
防護服は現在非常に重要な製品となっており、科学技術の発展や医療の進歩のために関連する作業人員が往々にして危険な物質（粉塵、細菌、ウィルス）が空気と共に進入しやすいエリアで作業（例えば、検疫、ウィルス研究等）する際に、防護服を着用することで危険な物質が人体に進入するのを防いでいる。
【０００３】
しかしながら、市場に出回っている防護服は危険な物質を有効的に阻止しているが、通気性が非常に低く、防護服を着用した作業人員が熱がこもりやすくて不快に感じることがあった。そこで市場にはこの熱がこもる問題を改善するための防護服が登場し、従来の特許文献では、例えば、下記特許文献１の「換気機能を有する防護服」という記載がある。この案では腋下箇所及び膝裏箇所に通気構造を増設しているが、人体のよく折り曲げる部位のみ通気性を強化しており、体幹、顔等の位置では熱がこもる問題が何ら改善されていない。或いは、例えば、下記特許文献２の「通気性のある空気圧保護服」という記載がある。この案では防護服にガス入力口を設け、使用時には空気圧縮機や動力式給気装置等の設備のガス出力管を別途接続して防護服内部に給気しなければならず、ガス出力管を別途接続するために作業人員の行動が制限されてしまい、作業人員が広範囲を移動するような環境では適用が難しかった。
【先行技術文献】
【特許文献】
【０００４】
【特許文献１】台湾特許出願第５３７０２５号公報
【特許文献２】台湾特許出願第４６１１５５号公報
【考案の概要】
【考案が解決しようとする課題】
【０００５】
そこで、本考案者は上記の欠点が改善可能と考え、鋭意検討を重ねた結果、合理的設計で上記の課題を効果的に改善する本考案の提案に至った。
【０００６】
かかる従来の実情に鑑みて、本考案は、防護服を提供することを目的４とする。すなわち、本考案に係る防護服は給気装置及び複数の排気穴を設け、給気装置は濾過後の外部の空気を着用スペース内に送入し、着用スペース内に送入した空気を複数の排気穴から排出し、着用スペース内で空気を流通させ、従来の防護服に存在する内部に熱がこもるという問題を大幅に改善している。
【課題を解決するための手段】
【０００７】
上記課題を解決するために、本考案のある態様の防護服は、
正面側及び背側を定義していると共に内部には着用スペースを有し、複数の排気穴及び可動に開閉する着用入口をさらに有し、且つヘッドマスク部と、上半身部と、下半身部とを含み、前記上半身部は前記ヘッドマスク部と前記下半身部との間に連接し、前記ヘッドマスク部は前記正面側に透明窓を設け、前記上半身部は２つの袖口を有し、前記下半身部は２つの裾口を有し、前記２つの袖口及び前記２つの裾口の辺縁には裾口締めを各々設けている防護服と、
前記防護服に貼設し、吸気部と、排気部と、フィルター層と、電源ユニットとを含み、前記吸気部は前記着用スペースに連通し、前記フィルター層は前記着用スペースに送入する空気を濾過するために用いている給気装置と、を備えている。
【０００８】
本明細書及び図面の記載により、少なくとも、以下の事項が明らかとなる。
【図面の簡単な説明】
【０００９】
【図１】本考案の一実施形態に係る防護服を模式的に示した正面図である。
【図２】本考案の一実施形態に係る防護服を模式的に示した側面図である。
【図３】本考案の一実施形態に係る防護服を模式的に示した背面図である。
【図４】本考案の防護服を着用する前の正面の概略図である。
【図５】本考案の防護服を着用する実施形態の側面の概略図である。
【図６】図３のＶＩ−ＶＩ線に沿う断面図である。
【図７】本考案の他の実施形態に係る透明窓を示した概略図である。
【図８】本考案の他の実施形態に係る透明窓を着用する側面概略図である。
【図９】本考案のヘッドマスク部と上半身部を示す分解概略図である。
【図１０】本考案のヘッドマスク部と上半身部を示す着用の概略図である。
【考案を実施するための形態】
【００１０】
以下、本開示の実施形態について図面を用いて説明する。なお、本開示は、下記の実施形態に何ら限定されることはなく、本開示の技術的範囲に属する限り種々の形態を採りうる。
【００１１】
以下、本考案の実施形態について、図面を参照しながら説明する。まず、図１乃至図６に示されるように、防護服は、正面側１１及び背側１２を定義していると共に内部に着用スペース１３を有し、複数の排気穴１４及び可動に開閉する着用入口１５をさらに有し、ヘッドマスク部１６と、上半身部１７と、下半身部１８とを含み、前記上半身部１７は前記ヘッドマスク部１６と前記下半身部１８との間に連接し、前記ヘッドマスク部１６は前記正面側１１に透明窓１６１を設け、前記上半身部１７は２つの袖口１７１を有し、前記下半身部１８は２つの裾口１８１を有し、前記２つの袖口１７１及び前記２つの裾口１８１の辺縁には裾口締め１９を各々設けている防護服本体１と、前記防護服本体１に貼設し、吸気部２１と、排気部２２と、フィルター層２３と、電源ユニット２４とを含み、前記吸気部２１は前記着用スペース１３に連通し、前記フィルター層２３は前記着用スペース１３に送入する空気を濾過するために用いている給気装置２と、を備えている。
【００１２】
前記各排気穴１４、袖口１７１、裾口１８１、及び着用入口１５は全て前記着用スペース１３内部に連通している。
【００１３】
また、図５と図８に示されるように、定義される正面側１１とは着用時に人体の前側に位置する箇所であり、定義される背側１２とは着用時人体の背側に位置する箇所である。
【００１４】
前記着用入口１５は線ファスナー形式であり、着用入口１５の位置は本実施例では上半身部１７が正面側１１に位置するものを例としている。
【００１５】
前記裾口締め１９は弾性バンド式、ボタン式等である。
【００１６】
前記給気装置２はポンプ式、ファン式等である。
【００１７】
前記電源ユニット２４はモバイルバッテリーや電池等により給気装置２の運転に必要な電力を提供している。
【００１８】
上述の内容に続いて本考案の実施方式についてさらに詳しく説明する。着用入口１５を開いた後に人体を着用入口１５から着用スペース１３内に進入させてから着用入口１５を閉め、各裾口締め１９を締めて頭部、体幹、部分的な四肢を着用スペース１３内部に封入し、手を各袖口１７１から出し、足を各裾口１８１から出す。続いて、給気装置２を起動し、外部の空気を吸気部２１から給気装置２に流入させた後、排気部２２から着用スペース１３内に流入させる。給気装置２には着用スペース１３内に進入する空気を濾過するためのフィルター層２３を設置し、これにより着用スペース１３内に進入する空気に危険な物質（粉塵、細菌、ウィルス）が含まれる心配をする必要がなくなる。着用スペース１３内部に持続的に空気を流入させることで内部の圧力が防護服本体１の外側よりも高くなり、部分的な空気が各排気穴１４から防護服本体１の外に徐々に排出され、これにより着用スペース１３内での空気の流通効果を達成させ、防護服内部に熱がこもる問題を解決している。また、各排気穴１４が持続的に排気することで、防護服本体１外部の危険な物質も各排気穴１４から着用スペース１３内部に進入しなくなる。透明窓１６１は人体の目に少なくとも対応し、着用スペース１３内部の人体が防護服本体１の外側の景色を見れるようにしている。
【００１９】
上述の内容から分かるように本考案は防護服内部に熱がこもる問題を確実に改善し、且つ従来のよくある防護服のように空気圧縮機や動力式給気装置等の設備のガス出力管を別途接続して防護服内部に給気する必要がなくなる。本考案は着用スペース１３にガスを流通させているため、人体の一部分にのみ対応して通気性を強化した防護服に比べて、こもっている熱をより冷やし、従来の防護服よりも本考案は確実に性能が優れた発明となっている。
【００２０】
また、図４と図５に示されるように、前記ヘッドマスク部１６は前記正面側１１の部分を前記着用スペース１３内に向けて陥没させることで凹型エリア１６２を形成し、前記ヘッドマスク部１６は凹型エリア１６２と上半身部１７との間の部分を外に向けて隆起させることで前記着用スペース１３に呼吸ゾーン１３１を形成している。人体が吐き出すガスの熱が高く、熱気が上昇して透明窓１６１の人体の目に対応する部位が曇ってしまうため、凹型エリア１６２の構造を人体の鼻に跨設し、鼻口に対応する位置の空気が目に向けて直接流れないようにし、透明窓１６１を人体の目にさらに正確に対応させ、ヘッドマスク部１６の揺動及び目の位置ずれが可視範囲に影響を与えにくくしている。また、ヘッドマスク部１６を外に向けて隆起させることで所形している呼吸ゾーン１３１が人体の頭部の鼻口の位置に対応し、ヘッドマスク部１６が人体の鼻口の給気位置に強く貼り付かないようにして呼吸に影響が生じないようにし、形成している呼吸ゾーン１３１にさらに多くの空気を流入させ、呼吸をスムーズに行いやすくしている。凹型エリア１６２及び呼吸ゾーン１３１は必ずしも図４及び図５のように完全に透明窓１６１で構成される必要はなく、図７及び図８のようにヘッドマスク部１６の透明窓１６１を設けていない部分で構成してもよく、或いはヘッドマスク部１６の透明窓１６１を設けていない部分及び透明窓１６１の連接箇所で構成してもよい。
【００２１】
また、図１乃至図５、図７乃至図１０に示されるように、前記複数の排気穴１４は前記ヘッドマスク部１６の上端及び前記ヘッドマスク部１６の下端に配置し、前記上半身部１７は前記２つの袖口１７１の部分に近接し、前記下半身部１８は前記２つの裾口１８１の部分に近接している。各排気穴１４を前述の位置に配置して空気を持続的に着用スペース１３に進入させる際に、内部の圧力が徐々に高まり、この際空気が抵抗力が低い部分に向けて徐々に流れる。本考案の抵抗力が低い部分には各排気穴１４があり、排気穴１４の配置位置が悪い例を挙げると、排気穴１４を人体の大腿に対応する箇所に開設し他場合、空気が大腿を流れる際に排気穴１４から排出され、継続的にふくらはぎの箇所に流れにくくなる。ここから分かるように本考案の各排気穴１４の配置位置は着用スペース１３内の空気を人体外部の各位置に最大限流入させ、空気の流通によりこもった熱を冷やす効果を最大化している。
【００２２】
前記複数の排気穴１４には一方向弁を各々設置し、前記防護服本体１の外側の空気が前記複数の排気穴１４から前記着用スペース１３内に進入するのを防ぎ、作業中に給気装置２が予期せず故障し、電力が消耗して危険な物質が防護服本体１の外部から着用スペース１３内に進入する事態を回避させている。
【００２３】
また、図９と図１０に示されるように、前記ヘッドマスク部１６は前記上半身部１７に可動に連接及び分離し、前記ヘッドマスク部１６の下端にはヘッドマスク入口１６３を配置し、前記上半身部１７は前記ヘッドマスク部１６に向けた上端にヘッド出口１７２を有し、前記ヘッドマスク入口１６３の内縁及び前記ヘッド出口１７２の外縁にそれぞれ設置している雌面ファスナー３１及び雄面ファスナー３２をさらに有している。前記ヘッドマスク部１６を前記上半身部１７に連接すると、前記ヘッドマスク部１６が前記ヘッド出口１７２の外周を被覆する。この構造によりヘッドマスク部１６及び上半身部を雌面ファスナー３１及び雄面ファスナー３２によりそれぞれ可動に連接及び分離する目的を達成させ、着脱を便利にする利点を有している（雌面ファスナー３１及び雄面ファスナー３２の設置位置は調節可能である）。また、ヘッドマスク部１６を人体から脱離すると、着用スペース１３内の空気が持続的にヘッド出口１７２から噴出し、この際人体の鼻口で呼吸した空気の多くはヘッド出口１７２から噴出するため、ヘッドマスク部１６を脱ぐ際（例えば、食事や飲水）にも危険な物質を吸入しにくくなる。ヘッドマスク部１６がヘッド出口１７２の外周を被覆する構造の利点は、着用スペース１３内の空気が上半身部１７からヘッドマスク部１６に向けて直接流れ、ヘッドマスク入口１６３がヘッド出口１７２により囲まれることで部分的な空気がヘッドマスク入口１６３とヘッド出口１７２との間の隙間に直接流れてヘッドマスク部１６と上半身部１７とが分離する危険性が増すような状況を回避している点である。
【００２４】
上述した実施形態は、本考案が属する技術分野における通常の知識を有する者が本考案を実施できることを目的として記載されたものである。上記実施形態の種々の変形例は、当業者であれば当然になしうることであり、本考案の技術的思想は他の実施形態にも適用しうる。したがって、本考案は、記載された実施形態に限定されることはなく、実用新案登録請求の範囲によって定義される技術的思想に従った最も広い範囲に解釈されるものである。
【符号の説明】
【００２５】
１  防護服
１１  正面側
１２  背側
１３  着用スペース
１３１  呼吸ゾーン
１４  排気穴
１４１  フィルター
１５  着用入口
１６  ヘッドマスク部
１６１  透明窓
１６２  凹型エリア
１６３  ヘッドマスク入口
１７  上半身部
１７０  袖
１７１  袖口
１７２  ヘッド出口
１７３  ボディ
１８  下半身部
１８０  パンツ脚
１８１  裾口
１８２  ヒップ
１８３  排泄口
１９  裾口締め
２  給気装置
２１  吸気部
２２  排気部
２３  フィルター層
２３１  フィルター
２４  電源ユニット
３１  雌面ファスナー
３２  雄面ファスナー
【図１】
0003232865.tif 000003
【図２】
0003232865.tif 000004
【図３】
0003232865.tif 000005
【図４】
0003232865.tif 000006
【図５】
0003232865.tif 000007
【図６】
0003232865.tif 000008
【図７】
0003232865.tif 000009
【図８】
0003232865.tif 000010
【図９】
0003232865.tif 000011
【図１０】
0003232865.tif 000012
【手続補正書】
【提出日】令和3年5月7日(2021.5.7)
【手続補正１】
【補正対象書類名】実用新案登録請求の範囲
【補正対象項目名】全文
【補正方法】変更
【補正の内容】
【実用新案登録請求の範囲】
【請求項１】
正面側及び背側を定義していると共に内部には着用スペースを有し、複数の排気穴及び可動に開閉する着用入口をさらに有し、且つヘッドマスク部と、上半身部と、下半身部とを含み、前記上半身部は前記ヘッドマスク部と前記下半身部との間に連接し、前記ヘッドマスク部は前記正面側に透明窓を設け、前記上半身部は２つの袖口を有し、前記下半身部は２つの裾口を有し、前記２つの袖口及び前記２つの裾口の辺縁には裾口締めを各々設けている防護服本体と、
前記防護服本体に貼設し、吸気部と、排気部と、フィルター層と、電源ユニットとを含み、前記吸気部は前記着用スペースに連通し、前記フィルター層は前記着用スペースに送入する空気を濾過するために用いている給気装置と、を備えていることを特徴とする防護服。
【請求項２】
前記ヘッドマスク部は前記正面側の部分を前記着用スペース内に向けて陥没させることにより凹型エリアを形成し、前記ヘッドマスク部は凹型エリアと上半身部との間の部分を外に向けて隆起させることにより前記着用スペースに呼吸ゾーンを形成していることを特徴とする請求項１に記載の防護服。
【請求項３】
前記複数の排気穴は、前記ヘッドマスク部の上端、前記上半身部の前記２つの袖口の部分に近接する位置、前記下半身部の前記２つの裾口の部分に近接する位置に配置されることを特徴とする請求項１に記載の防護服。
【請求項４】
前記複数の排気穴には前記防護服本体の外側の空気が前記複数の排気穴から前記着用スペース内に進入しないようにするための一方向弁を各々設置していることを特徴とする請求項１乃至３の何れか１項に記載の防護服。
【請求項５】
前記ヘッドマスク部は前記上半身部に可動に連接及び分離し、前記ヘッドマスク部の下端にはヘッドマスク入口を配置し、前記上半身部には前記ヘッドマスク部に向けている上端にヘッド出口を有し、前記ヘッドマスク入口の内縁及び前記ヘッド出口の外縁にそれぞれ設置している雌面ファスナー及び雄面ファスナーをさらに有し、前記ヘッドマスク部を前記上半身部に連接すると、前記ヘッドマスク部が前記ヘッド出口の外周を被覆することを特徴とする請求項１乃至３の何れか１項に記載の防護服。